(57)【要約】  本開示の実施例による自動制御の自動車ヘッドランプ、自動制御の方法及び自動車は、自動車の技術分野に属し、自動制御の自動車ヘッドランプは、走行路面へ、明暗からなるとともに走行路面における出たり消えたりする物体の輪郭の変化に従って対応する曲げ縞模様に変形する縞模様状赤外線を照射する赤外線照射可能な照射ライトアッセンブリと、曲げ縞模様の画像情報を収集する撮像ヘッドと、撮像ヘッドとデータ通信可能に接続し、画像情報を取得し該画像情報に基づいてヘッドランプ制御コマンドを生成する画像処理装置と、いくつのＬＥＤ光源を備えるマトリックスヘッドランプと、マトリックスヘッドランプ及び画像処理装置とデータ通信可能に接続し、ヘッドランプ制御コマンドを取得し該ヘッドランプ制御コマンドに基づいてＬＥＤ光源の点灯個数及び明暗変化を調整する第１制御装置とを有する。
2021517529.tif 000002
【特許請求の範囲】
【請求項１】
走行路面へ、明暗からなるとともに前記走行路面における出たり消えたりする物体の輪郭の変化に従って対応する曲げ縞模様に変形する縞模様状赤外線を照射する赤外線照射可能な照射ライトアッセンブリと、
前記曲げ縞模様の画像情報を収集する撮像ヘッドと、
前記撮像ヘッドとデータ通信可能に接続し、前記画像情報を取得し前記画像情報に基づいてヘッドランプ制御コマンドを生成する画像処理装置と、
いくつのＬＥＤ光源を備えるマトリックスヘッドランプと、
前記マトリックスヘッドランプ及び前記画像処理装置とデータ通信可能に接続し、前記ヘッドランプ制御コマンドを取得し前記ヘッドランプ制御コマンドに基づいて前記ＬＥＤ光源の点灯個数及び明暗変化を調整する第１制御装置と、
を有することを特徴とする自動制御の自動車ヘッドランプ。
【請求項２】
前記縞模様状赤外線は、明暗からなる横縞により構成されることを特徴とする請求項１に記載の自動制御の自動車ヘッドランプ。
【請求項３】
前記照射ライトアッセンブリは、前記走行路面へ明暗からなる前記横縞により構成された縞模様状赤外線を照射する第１赤外線照射ライトを有することを特徴とする請求項２に記載の自動制御の自動車ヘッドランプ。
【請求項４】
前記第１赤外線照射ライトと制御可能に接続し、前記第１赤外線照射ライトを、前記走行路面へ前記横縞により構成された縞模様状赤外線を点滅に照射するように制御する第２制御装置をさらに有することを特徴とする請求項３に記載の自動制御の自動車ヘッドランプ。
【請求項５】
前記縞模様状赤外線は、明暗からなる縦縞により構成されることを特徴とする請求項１に記載の自動制御の自動車ヘッドランプ。
【請求項６】
前記照射ライトアッセンブリは、前記走行路面へ明暗からなる前記縦縞により構成された縞模様状赤外線を照射する第２赤外線照射ライトを有することを特徴とする請求項５に記載の自動制御の自動車ヘッドランプ。
【請求項７】
前記第２赤外線照射ライトと制御可能に接続し、前記第２赤外線照射ライトを、前記走行路面へ前記縦縞により構成された縞模様状赤外線を点滅に照射するように制御する第３制御装置をさらに有することを特徴とする請求項６に記載の自動制御の自動車ヘッドランプ。
【請求項８】
前記縞模様状赤外線は、明暗からなる横縞と縦縞により構成され、前記横縞と前記縦縞とが互いに交差して配置されることを特徴とする請求項１に記載の自動制御の自動車ヘッドランプ。
【請求項９】
前記照射ライトアッセンブリは、第１赤外線照射ライトと第２赤外線照射ライトとを有し、
前記第１赤外線照射ライトが、前記走行路面へ明暗からなる横縞模様状赤外線を照射し、
前記第２赤外線照射ライトが、前記走行路面へ明暗からなる縦縞模様状赤外線を照射し、
前記第１赤外線照射ライトと前記第２赤外線照射ライトとが同時に照射して、明暗からなる前記横縞模様状赤外線と前記縦縞模様状赤外線とを重ね合わせた模様を形成する
ことを特徴とする請求項８に記載の自動制御の自動車ヘッドランプ。
【請求項１０】
前記照射ライトアッセンブリは、
前記赤外線を照射する赤外線ライトと、
いくつの平行する長尺透光孔を有し、前記赤外線の照射出口に位置し、直接に照射してきた前記赤外線ライトからの赤外線を前記長尺透光孔を通らせて前記縞模様状赤外線に形成させる遮光構造と、
を有することを特徴とする請求項１に記載の自動制御の自動車ヘッドランプ。
【請求項１１】
前記照射ライトアッセンブリは、
前記赤外線を照射する赤外線ライトと、
いくつの平行する長尺透光孔を有し、前記赤外線の照射出口に位置する遮光構造と、
前記赤外線ライトに対応して配置され、前記長尺透光孔を通して前記縞模様状赤外線に形成するように、前記赤外線ライトから照射した赤外線を前記遮光構造へ反射する反射ミラーと、
を有することを特徴とする請求項１に記載の自動制御の自動車ヘッドランプ。
【請求項１２】
前記遮光構造は、グレーティングを用いることを特徴とする請求項１０又は１１に記載の自動制御の自動車ヘッドランプ。
【請求項１３】
前記遮光構造は、フレームと前記フレームに設置されるいくつの遮光シートとを有し、いくつの前記遮光シートが平行に設置され、隣接する遮光シートの間の隙間により前記長尺透光孔を形成することを特徴とする請求項１０又は１１に記載の自動制御の自動車ヘッドランプ。
【請求項１４】
レンズホルダーとレンズとを備えるレンズ部材をさらに有し、
前記レンズは、前記縞模様状赤外線を前記レンズを通らせて前記走行路面に照射するように、前記レンズホルダーを介して前記赤外線の照射出口に取り付けられる
ことを特徴とする請求項１０〜１３のいずれか１項に記載の自動制御の自動車ヘッドランプ。
【請求項１５】
前記遮光構造は、前記レンズの焦点面に位置することを特徴とする請求項１４に記載の自動制御の自動車ヘッドランプ。
【請求項１６】
放熱装置をさらに有し、
前記赤外線ライトが前記放熱装置に設置され、前記放熱装置により赤外線ライトに対して放熱を行う
ことを特徴とする請求項１０〜１５のいずれか１項に記載の自動制御の自動車ヘッドランプ。
【請求項１７】
前記画像情報は車両の画像情報を含み、
前記第１制御装置は、前記マトリックスヘッドランプ及び前記画像処理装置とデータ通信可能に接続し、前記ヘッドランプ制御コマンドを取得し前記ヘッドランプ制御コマンドに基づいて前記ＬＥＤ光源の点灯個数の減少及び明暗変化の調整を制御する
ことを特徴とする請求項１〜１６のいずれか１項に記載の自動制御の自動車ヘッドランプ。
【請求項１８】
前記画像情報は、通行人の画像情報を含み、前記ヘッドランプ制御コマンドは、前記通行人の画像情報に対応する点滅調整コマンドを含み、
前記第１制御装置は、前記マトリックスヘッドランプ及び前記画像処理装置とデータ通信可能に接続し、前記点滅調整コマンドを取得し前記点滅調整コマンドに基づいて前記ＬＥＤ光源の点滅を制御する
ことを特徴とする請求項１〜１７のいずれか１項に記載の自動制御の自動車ヘッドランプ。
【請求項１９】
請求項１〜１８のいずれか１項に記載の自動制御の自動車ヘッドランプにより実現され、
前記照射ライトアッセンブリにより、前記走行路面へ、明暗からなるとともに走行路面における出たり消えたりする物体の輪郭の変化に従って対応する曲げ縞模様に変形する縞模様状赤外線を照射するステップと、
前記撮像ヘッドにより前記曲げ縞模様の画像情報を収集するステップと、
前記画像処理装置により前記画像情報を取得し前記画像情報に基づいてヘッドランプ制御コマンドを生成するステップと、
前記第１制御装置により前記ヘッドランプ制御コマンドを取得し前記ヘッドランプ制御コマンドに基づいて前記ＬＥＤ光源の点灯個数及び明暗変化を調整するステップと、
を含むことを特徴とする自動車ヘッドランプの自動制御の方法。
【請求項２０】
請求項１〜１８のいずれか１項に記載の自動制御の自動車ヘッドランプを有することを特徴とする自動車。
【発明の詳細な説明】
【技術分野】
【０００１】
関連出願の交互引用
本開示は、２０１９年０３月１４日に中国専利局に提出した出願番号が２０１９１０１９３０３７３であり、名称が「自動制御の自動車ヘッドランプ及び自動制御の方法」である中国特許出願に基づいて優先権を主張し、そのすべての内容が参照により本明細書に組み込まれる。
【０００２】
本開示は、自動車の技術分野に属し、殊に、自動制御の自動車ヘッドランプ、自動制御の方法及び自動車に関する。
【背景技術】
【０００３】
科学技術の発展に従って、より多くのインテリジェント製品が日常生活に現れた。自動車は、ハイテクノロジーを集めたものとして、インテリジェント化がますます高くなる。そのうち、自動車ヘッドランプの技術レベルは、よく自動車の安全性を表している。
【０００４】
現在、自動車ヘッドランプの主な照明機能は、ロービーム照明とハイビーム照明とを含み、実際に使用される際に、運転手の手動調整が必要となる。しかし、運転手がハイビームライトを適時にオフしなかった場合、通行人及び対向車を幻惑させ、事故を起こらせることがある。従来の配光パターンを変換できる技術は、コストが非常に高いので、車両全体のコストを大幅に上げた。
【発明の概要】
【発明が解決しようとする課題】
【０００５】
本開示は、例えば、従来技術におけるランプ自動制御の支援システムのコストが高いという技術課題を解決するように、自動制御の自動車ヘッドランプ、自動制御の方法及び自動車を提供することを目的としている。
【課題を解決するための手段】
【０００６】
本開示の実施例は、下記のように実現される。
【０００７】
本開示の実施例による自動制御の自動車ヘッドランプは、
走行路面へ、明暗からなるとともに前記走行路面における出たり消えたりする物体の輪郭の変化に従って対応する曲げ縞模様に変形する縞模様状赤外線を照射する赤外線照射可能な照射ライトアッセンブリと、
前記曲げ縞模様の画像情報を収集する撮像ヘッドと、
前記撮像ヘッドとデータ通信可能に接続し、前記画像情報を取得し前記画像情報に基づいてヘッドランプ制御コマンドを生成する画像処理装置と、
いくつのＬＥＤ光源を備えるマトリックスヘッドランプと、
前記マトリックスヘッドランプ及び前記画像処理装置とデータ通信可能に接続し、前記ヘッドランプ制御コマンドを取得し前記ヘッドランプ制御コマンドに基づいて前記ＬＥＤ光源の点灯個数及び明暗変化を調整する第１制御装置とを有する。
【０００８】
前記縞模様状赤外線は、明暗からなる横縞により構成されることが好ましい。
【０００９】
前記照射ライトアッセンブリは、前記走行路面へ明暗からなる前記横縞により構成された縞模様状赤外線を照射する第１赤外線照射ライトを有することが好ましい。
【００１０】
前記第１赤外線照射ライトと制御可能に接続し、前記第１赤外線照射ライトを、前記走行路面へ前記横縞により構成された縞模様状赤外線を点滅に照射するように制御する第２制御装置をさらに有することが好ましい。
【００１１】
前記縞模様状赤外線は、明暗からなる縦縞により構成されることが好ましい。
【００１２】
前記照射ライトアッセンブリは、前記走行路面へ明暗からなる前記縦縞により構成された縞模様状赤外線を照射する第２赤外線照射ライトを有することが好ましい。
【００１３】
前記第２赤外線照射ライトと制御可能に接続し、前記第２赤外線照射ライトを、前記走行路面へ前記縦縞により構成された縞模様状赤外線を点滅に照射するように制御する第３制御装置をさらに有することが好ましい。
【００１４】
前記縞模様状赤外線は、明暗からなる横縞と縦縞により構成され、前記横縞と前記縦縞とが互いに交差して配置されることが好ましい。
【００１５】
前記照射ライトアッセンブリは、第１赤外線照射ライトと第２赤外線照射ライトとを有し、
前記第１赤外線照射ライトが、前記走行路面へ明暗からなる横縞模様状赤外線を照射し、
前記第２赤外線照射ライトが、前記走行路面へ明暗からなる縦縞模様状赤外線を照射し、
前記第１赤外線照射ライトと前記第２赤外線照射ライトとが同時に照射して、明暗からなる前記横縞模様状赤外線と前記縦縞模様状赤外線とを重ね合わせた模様を形成することが好ましい。
【００１６】
前記照射ライトアッセンブリは、
前記赤外線を照射する赤外線ライトと、
いくつの平行する長尺透光孔を有し、前記赤外線の照射出口に位置し、直接に照射してきた前記赤外線ライトからの赤外線を前記長尺透光孔を通らせて前記縞模様状赤外線に形成させる遮光構造とを有することが好ましい。
【００１７】
前記照射ライトアッセンブリは、
前記赤外線を照射する赤外線ライトと、
いくつの平行する長尺透光孔を有し、前記赤外線の照射出口に位置する遮光構造と、
前記赤外線ライトに対応して配置され、前記長尺透光孔を通して前記縞模様状赤外線に形成するように、前記赤外線ライトから照射した赤外線を前記遮光構造へ反射する反射ミラーと、を有することが好ましい。
【００１８】
前記遮光構造は、グレーティングを用いることが好ましい。
【００１９】
前記遮光構造は、フレームと前記フレームに設置されるいくつの遮光シートとを有し、いくつの前記遮光シートが平行に設置され、隣接する遮光シートの間の隙間により前記長尺透光孔を形成することが好ましい。
【００２０】
レンズホルダーとレンズとを備えるレンズ部材をさらに有し、
前記レンズは、前記縞模様状赤外線を前記レンズを通らせて前記走行路面に照射するように、前記レンズホルダーを介して前記赤外線の照射出口に取り付けられることが好ましい。
【００２１】
前記遮光構造は、前記レンズの焦点面に位置することが好ましい。
【００２２】
放熱装置をさらに有し、
前記赤外線ライトが前記放熱装置に設置され、前記放熱装置により赤外線ライトに対して放熱を行うことが好ましい。
【００２３】
前記画像情報は車両の画像情報を含み、
前記第１制御装置は、前記マトリックスヘッドランプ及び前記画像処理装置とデータ通信可能に接続し、前記ヘッドランプ制御コマンドを取得し前記ヘッドランプ制御コマンドに基づいて前記ＬＥＤ光源の点灯個数の減少及び明暗変化の調整を制御することが好ましい。
【００２４】
前記画像情報は通行人の画像情報を含み、前記ヘッドランプ制御コマンドは、前記通行人の画像情報に対応する点滅調整コマンドを含み、
前記第１制御装置は、前記マトリックスヘッドランプ及び前記画像処理装置とデータ通信可能に接続し、前記点滅調整コマンドを取得し前記点滅調整コマンドに基づいて前記ＬＥＤ光源の点滅を制御することが好ましい。
【００２５】
本開示の実施例による自動車ヘッドランプの自動制御の方法は、上記の自動制御の自動車ヘッドランプにより実現され、
前記照射ライトアッセンブリにより、前記走行路面へ、明暗からなるとともに走行路面における出たり消えたりする物体の輪郭の変化に従って対応する曲げ縞模様に変形する縞模様状赤外線を照射するステップと、
前記撮像ヘッドにより前記曲げ縞模様の画像情報を収集するステップと、
前記画像処理装置により前記画像情報を取得し前記画像情報に基づいてヘッドランプ制御コマンドを生成するステップと、
前記第１制御装置により前記ヘッドランプ制御コマンドを取得し前記ヘッドランプ制御コマンドに基づいて前記ＬＥＤ光源の点灯個数及び明暗変化を調整するステップとを含むことが好ましい。
【００２６】
本開示の実施例による自動車は、上記の自動制御の自動車ヘッドランプを有する。
【発明の効果】
【００２７】
従来の技術と比べ、本開示の実施例の有益な効果は、例えば以下のことがある。
自動車ヘッドランプの照射ライトアッセンブリが走行路面へ縞模様状赤外線を照射し、走行路面に物体が現れるとき、該縞模様状赤外線が物体の表面に照射されるとともに物体の輪郭に従って変化し、自動車ヘッドランプの撮像ヘッドが走行路面における物体に照射された曲げ縞模様の形状をリアルタイムに撮影する。画像処理装置が画像情報に基づいてヘッドランプ制御コマンドを生成し、第１制御装置がヘッドランプ制御コマンドに基づいてＬＥＤ光源の点灯個数及び明暗変化を調整するので、異なる配光パターンで投光することができる。これによって、ランプの適応的な照明の目的を果たし、自動車ヘッドランプのインテリジェント化を実現する。異なる配光パターンは、マトリックスヘッドランプが異なる路面状況に応じて、ＬＥＤ光源の一部を点灯、減光又は消灯にするにより実現されるものであり、眩惑の防止、通行人への提示、カーブ照明などの機能を実現することができる。これによって、自動車のコストを大幅に低減させ、ランプの自動制御の効果を備える。
【００２８】
本開示の実施例をより明瞭に説明するため、以下、実施例の説明に必要の図面を簡単に説明する。明らかに、以下の図面が本開示の実施例の一部を示すものにすぎないため、範囲を限定するものでないこととみなすべき、当業者は、発明能力を利用しなくても、これらの図面に基づいてその他の関係図面を得ることが可能である。
【図面の簡単な説明】
【００２９】
【図１】本開示の実施例に係る第１種の自動車ヘッドランプの電気接続の模式図である。
【図２】本開示の実施例に係る第２種の自動車ヘッドランプの電気接続の模式図である。
【図３】本開示の実施例に係る第３種の自動車ヘッドランプの電気接続の模式図である。
【図４】本開示の実施例に係る照射ライトアッセンブリの構成模式図である。
【図５】本開示の実施例に係る横縞からなる遮光構造の模式図である。
【図６】本開示の実施例に係る縦縞からなる遮光構造の模式図である。
【図７】本開示の実施例に係る自動車ヘッドランプによる照射の模式図である。
【図８】本開示の実施例に係る自動車ヘッドランプによる照射の拡大模式図である。
【図９】本開示の実施例に係る自動車ヘッドランプによる照射の平面図である。
【発明を実施するための形態】
【００３０】
本開示の実施例の目的、技術案及び利点をより明瞭にするため、以下、本開示の実施例に用いられる図面を参照しながら、本開示の実施例における技術案を明瞭且つ完全に説明し、説明される実施例が本開示の実施例の一部に過ぎず、すべての実施例ではないことは無論である。ここで図面を用いて示した本開示の実施例における部品は、様々な配置方法で配置、設計されることができる。
【００３１】
このため、以下の、図面に示された本開示の実施例に対する詳細な説明は、保護しようとする本開示の範囲を制限するものではなく、本開示の選択された実施例を示すものに過ぎない。本開示の実施例をもとに、当業者が発明能力を用いることなく得たすべてのその他の実施例は、いずれも本開示の保護範囲に属する。
【００３２】
なお、同様な符号は、図面において同様な項目を示すので、１つの図面で定義された場合、その他の図面でさらに定義、解釈することが不要になる。
【００３３】
本開示の説明において、要注意のが、「中心」、「上」、「下」、「左」、「右」、「鉛直」、「水平」、「内」、「外」等の用語で表された方向又は位置関係は、図面に基づくものであり、或いは該発明製品の常用の配置の方向又は位置関係であり、本開示を便宜及び簡略に説明するためのものに過ぎず、該当装置又は素子が、必ず定められた方向を有したり、定められた方向に構成されたり、操作されたり、することを明示又は暗示するものではないため、本開示を限定するものではないと理解すべきである。
【００３４】
また、用語「第１」、「第２」、「第３」等は、区別して説明するためのものに過ぎず、相対重要性を明示又は暗示するものではないと理解すべきである。
【００３５】
なお、「水平」、「垂直」、「鉛直」等の用語は、部品を絶対的な水平又は鉛直に設置すると意味するものではなく、少し傾斜してもよい。例えば、「水平」とは、該当構成の方向が、「垂直」よりも水平であるように、完全水平になるのではなく、少し傾斜してもよい。
【００３６】
本開示の説明において、要注意のが、明確な定義と限定がない限り、「設置」、「取付」、「連係」、「接続」などの用語は、広義的に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本開示における上記用語の具体的な意味を、具体的な状況に応じて理解することが可能である。
【００３７】
また、矛盾がない限り、本開示の実施例における特徴を相互結合させることができる。
【００３８】
従来技術のマトリックス（ＭＡＴＲＩＸ）式ヘッドランプ技術により、異なる配光パターン間の変換を実現でき、該ヘッドランプはＬＥＤ画素光源により構成される。現在、マトリックスヘッドランプの自動制御のため、高級車には先進運転支援システム（Ａｄｖａｎｃｅｄ  Ｄｒｉｖｅｒ  Ａｓｓｉｓｔａｎｃｅ  Ｓｙｓｔｅｍｓ、ＡＤＡＳと略称する）が搭載されることがよくある。しかしながら、ＡＤＡＳシステムの開発がとても複雑で、コストも高い。本実施例は、該技術課題を改善できる自動制御の自動車ヘッドランプを提供する。
【００３９】
図１乃至図９に示すように、本実施例による自動制御の自動車ヘッドランプは、走行路面へ、明暗からなるとともに走行路面における出ったり消えたりする物体の輪郭の変化に従って対応する曲げ縞模様に変形する縞模様状赤外線を照射する赤外線照射可能な照射ライトアッセンブリ１と、曲げ縞模様の画像情報を収集する撮像ヘッド２と、撮像ヘッド２とデータ通信可能に接続し、画像情報を取得し該画像情報に基づいてヘッドランプ制御コマンドを生成する画像処理装置３と、いくつのＬＥＤ光源を備えるマトリックスヘッドランプ４と、マトリックスヘッドランプ４及び画像処理装置３とデータ通信可能に接続し、ヘッドランプ制御コマンドを取得し該ヘッドランプ制御コマンドに基づいてＬＥＤ光源４１の点灯個数及び明暗変化を調整する第１制御装置５と、を有する。
【００４０】
なお、ここでのデータ通信可能な接続は、通信と理解することができ、該接続を実現する方式が多くあり、例えば無線接続であってもよく、データケーブルによる有線接続であってもよい。図１と図２に示すように、該第１制御装置５をマトリックスヘッドランプ４に集積して１つの構成にとしてもよく、該第１制御装置５とマトリックスヘッドランプ４とが別体に構成されてもよい。
【００４１】
上記の構成によって、自動車ヘッドランプが自動車の前側に設置され、自動車が走行するとき、自動車ヘッドランプの照射ライトアッセンブリ１が走行路面へ縞模様状赤外線を照射する。走行路面に物体が現れると、該縞模様状赤外線が、物体の表面に照射され、被照射の物体で縞模様状赤外線が乱反射されるとともに物体の輪郭に従って変化し、そして赤外線の縞模様も変調され、形状が曲がって変形し、物体の輪郭に対応する曲げ縞模様に形成される。同時に、自動車ヘッドランプの撮像ヘッド２が走行路面における物体に照射された曲げ縞模様の形状をリアルタイムに撮影し、そして、画像処理装置３が曲げ縞模様の形態に対して演算を行い、曲げ縞模様の画像情報を取得する。また、該画像情報に基づいて路面の起伏、くぼみ、及び障害物の距離、位置、形状、大きさ、高さなどの情報を算出することができる。画像処理装置３が画像情報に基づいてヘッドランプ制御コマンドを生成し、第１制御装置５がヘッドランプ制御コマンドに基づいてＬＥＤ光源４１の点灯個数及び明暗変化を調整して、異なる配光パターンで投光するように制御する。これによって、ランプの自動適応の照明の目的が果され、自動車ヘッドランプのインテリジェント化が実現される。該異なる配光パターンは、マトリックスヘッドランプ４が異なる路面状況に応じて、ＬＥＤ光源の一部を点灯、減光又は消灯にすることにより実現されるものであり、眩惑の防止、通行人への提示、カーブ照明などの機能を実現することができる。
該赤外線の縞模様は、明暗からなる横縞により構成され、又は、明暗からなる縦縞により構成され、又は、明暗からなるとともに互いに交差して配置される横縞及び縦縞により構成されることが好ましい。
【００４２】
このため、該照射ライトアッセンブリ１により照射される明暗からなる縞模様状赤外線は、単に横縞からなるものであってもよく、単に縦縞からなるものであってもよく、２つ又は複数の照射ライトアッセンブリ１を組み合わせて射出してなる複合効果を備える明暗からなるものであってもよい。一形態として、縞模様状赤外線は、２つの照射ライトアッセンブリ１を組み合わせて射出してなる、横縞と縦縞とを重ね合わせた明暗からなる模様となる。横縞の模様が路面の前後の状況を演算することに有利であり、縦縞の模様が路面の左右の状況を演算することに有利であるので、横縞と縦縞の模様をともに利用することは路面監視の識別度を向上させることができる。
【００４３】
照射ライトアッセンブリ１は、走行路面へ明暗からなる横縞模様状赤外線を照射する第１赤外線照射ライト１０１を有してもよく、走行路面へ明暗からなる縦縞模様状赤外線を照射する第２赤外線照射ライト１０２を有してもよい。
【００４４】
照射ライトアッセンブリ１は、横縞と縦縞とを重ね合わせた明暗からなる模様に形成するように、それぞれ明暗からなる横縞模様状赤外線と明暗からなる縦縞模様状赤外線を照射し、又はそれらの赤外線を同時に照射する第１赤外線照射ライト１０１と第２赤外線照射ライト１０２とを有してもよい。
【００４５】
つまり、照射ライトアッセンブリ１は、第１赤外線照射ライト１０１を用いってもよく、第２赤外線照射ライト１０２を用いてもよく、第１赤外線照射ライト１０１と第２赤外線照射ライト１０２の組み合わせを用いってもよい。また、第１赤外線照射ライト１０１及び第２赤外線照射ライト１０２の個数は限定されない。
【００４６】
また、図４〜図６に示すように、照射ライトアッセンブリ１は、赤外線を照射する赤外線ライト１１と、いくつの平行する長尺透光孔１２３を有し、赤外線の照射出口に位置する遮光構造１２と、赤外線ライト１１に対応して配置され、長尺透光孔１２３を通して縞模様状赤外線に形成するように、赤外線ライト１１により照射した赤外線を遮光構造１２へ反射する反射ミラー１３と、を有することが好ましい。
【００４７】
赤外線が遮光構造１２に照射され、長尺透光孔１２３を通し、長尺透光孔１２３から射出されてると、明暗からなる横縞模様状赤外線に形成する。
【００４８】
照射ライトアッセンブリ１は、赤外線を照射する赤外線ライト１１と、いくつの平行する長尺透光孔１２３を有し、赤外線の照射出口に位置し、直接に照射されてきた赤外線ライト１１からの赤外線を長尺透光孔１２３を通らせて縞模様状赤外線に形成させる遮光構造１２とを有することが好ましい。
【００４９】
図４に示した構成と異なり、該照射ライトアッセンブリ１は、反射ミラー１３を備えなくてもよく、赤外線ライト１１により遮光構造１２に対して直接に照射しても、縞模様状赤外線を形成できることが理解すべきである。
【００５０】
遮光構造は、グレーティングを用いることが好ましい。
【００５１】
グレーティング（Ｇｒａｔｉｎｇ）は、大量の同幅同間隔の平行するスリットからなる光学素子である。通常に使用されているグレーティングは、ガラスシートで大量の平行する刻みをつけることにより製造され、刻みが光を透過しない部分となり、２つの刻みの間の滑らかな部分で光を透過することができ、スリット（該スリットを下記の長尺透光孔１２３と認識することができる）に相当する。精密に加工されたグレーティングは、１ｃｍの幅内に数千条乃至数万条の刻みがつけられている。このような透過光の回折を利用するグレーティングを透過グレーティングと称する。そして、２つの刻みの間における反射光の回折を利用するグレーティングもあり、例えば金属のメッキ層を有する表面に多くの平行する刻みをつけ、２つの刻みの間の滑らかな金属面で光を反射することができ、このようなグレーティングを反射グレーティングと称する。
【００５２】
遮光構造１２は、フレーム１２１とフレーム１２１に設置されるいくつの遮光シート１２２とを有し、いくつの遮光シート１２２が平行に設置され、隣接する遮光シート１２２の間の隙間により長尺透光孔１２３を形成することが好ましい。
【００５３】
該長尺透光孔１２３は、一つのシートに複数の平行する長尺孔を開設することにより形成されてもよく、複数の平行に設置される遮光物の間の隙間により形成されてもよいことが無論である。
【００５４】
自動制御の自動車ヘッドランプは、レンズホルダー１４１とレンズ１４２とを含むレンズ部材１４をさらに有し、レンズ１４２が、縞模様状赤外線を通らせて走行路面に照射するように、レンズホルダー１４１を介して赤外線の照射出口に取り付けられることが好ましい。
【００５５】
遮光構造１２は、レンズ１４２の焦点面に位置することが好ましい。
【００５６】
自動制御の自動車ヘッドランプは、放熱装置１６をさらに有し、赤外線ライト１１が、放熱装置１６に設置され、放熱装置１６を介して放熱を行うことが好ましい。
【００５７】
放熱装置１６で、装置全体、特に赤外線ライト１１が発した熱に対して放熱処理を行うことができ、これによって、装置は温度均一の状態で作動し、使用寿命が延び、質が安定することを実現できる。
【００５８】
図４に示すように、照射ライトアッセンブリ１は、レンズ１４２、レンズホルダー１４１、遮光構造１２、反射ミラー１３、赤外線ライト１１及び放熱装置１６等により構成されることが可能である。赤外線ライト１１は、上記の第１赤外線照射ライト１０１又は第２赤外線照射ライト１０２であることが可能である。
【００５９】
マトリックスヘッドランプ４のいくつのＬＥＤ光源４１が射出する赤外線は、反射ミラー１３により反射されるように構成されることが可能であり、赤外線が遮光構造１２により遮光されてから射出され、明暗からなる縞模様状赤外線に形成された後、レンズ１４２を介して射出される。
【００６０】
図５又は図６に示すように、遮光構造１２を介して、横方向の横縞又は縦方向の縦縞の模様の赤外線を射出することができる。遮光構造１２は、グレーティングを用いてもよく、隔てて遮光する構成を備える遮光シートを用いてもよく、レンズの屈折を利用して光を間隔を隔てて透過させる導光板などを用いてもよい。
【００６１】
図３に示すように、自動制御の自動車ヘッドランプは、第１赤外線照射ライト１０１と制御可能に接続し、第１赤外線照射ライト１０１を、走行路面へ横縞模様状赤外線を点滅に照射するように制御する第２制御装置６をさらに有することが好ましい。
【００６２】
図３に示すように、自動制御の自動車ヘッドランプは、第２赤外線照射ライト１０２と制御可能に接続し、第２赤外線照射ライト１０２を、走行路面へ縦縞模様状赤外線を点滅に照射するように制御する第３制御装置７をさらに有することが好ましい。
【００６３】
このため、第２制御装置６及び第３制御装置７は、照射ライトアッセンブリ１を、横縞模様と縦縞模様状赤外線を一定頻度で間欠に照射するように制御できる。そして、路面条件によって、横縞模様又は縦縞模様状赤外線を単独に射出するように制御できるので、電気消費が抑えられる。
【００６４】
該画像情報は車両の画像情報を含み、第１制御装置５は、マトリックスヘッドランプ４及び画像処理装置３とデータ通信可能に接続し、ヘッドランプ制御コマンドを取得し該ヘッドランプ制御コマンドに基づいてＬＥＤ光源４１の点灯個数の減少及び明暗変化の調整を制御することが好ましい。
【００６５】
マトリックスヘッドランプ４がハイビームモードになる場合、撮像ヘッド２が走行路面における赤外線の縞模様の変化状況を監視し、赤外線の縞模様が曲げ縞模様になったとき、画像処理装置３が計算により路面状況を得てマトリックスヘッドランプ４にフィードバックする。例えば、画像情報に車両の画像情報が含まれる場合、画像処理装置３が画像情報に基づいてヘッドランプ制御コマンドを生成し、第１制御装置５が、ヘッドランプ制御コマンドに基づいてＬＥＤ光源４１の点灯個数及び明暗変化を調整することによって、一部のＬＥＤ光源をオフにするようにマトリックスヘッドランプ４を制御する。これによって、少ない個数のＬＥＤ光源の作動で、ハイビームによる他車両を幻惑させることを防止することができるので、ランプの自動幻惑防止の目的を実現する。
【００６６】
画像情報は通行人の画像情報を含み、ヘッドランプ制御コマンドは通行人の画像情報に対応する点滅調整コマンドを含み、第１制御装置５は、マトリックスヘッドランプ４及び画像処理装置３とデータ通信可能に接続し、点滅調整コマンドを取得し該点滅調整コマンドに基づいてＬＥＤ光源４１の点滅を制御することが好ましい。
【００６７】
マトリックスヘッドランプ４がハイビームモードになる場合、撮像ヘッド２が走行路面における赤外線の縞模様の変化状況を監視し、赤外線の縞模様が曲げ縞模様になったとき、画像処理装置３が計算により路面状況を得てマトリックスヘッドランプ４にフィードバックする。例えば、画像情報に通行人の画像情報が含まれる場合、画像処理装置３が画像情報に基づいてヘッドランプ制御コマンドを生成し、第１制御装置５が、ヘッドランプ制御コマンドに基づいてＬＥＤ光源４１を点灯させ又は一定頻度で一部のＬＥＤ光源を点滅させるように制御する。これによって、通行人に車両を注意させて、ヘッドランプの通行人保護の機能を実現する。
【００６８】
本開示の実施例による自動車ヘッドランプの自動制御の方法は、自動制御の自動車ヘッドランプにより実現され、照射ライトアッセンブリ１により走行路面へ、明暗からなるとともに走行路面における出たり消えたりする物体の輪郭の変化に従って対応する曲げ縞模様に変形する縞模様状赤外線を照射するステップと、撮像ヘッド２により曲げ縞模様の画像情報を収集するステップと、画像処理装置３により画像情報を取得し該画像情報に基づいてヘッドランプ制御コマンドを生成するステップと、第１制御装置５によりヘッドランプ制御コマンドを取得し該ヘッドランプ制御コマンドに基づいてＬＥＤ光源４１の点灯個数及び明暗変化を調整するステップと、を含む。
【００６９】
該自動車ヘッドランプの具体的な構成、機能、原理及び技術的効果について、上記で詳細に説明したので、ここで説明を省略する。このため、該自動車ヘッドランプに関わる技術について、上記記載を参照することができる。
【００７０】
本開示の実施例による自動車は、上記の自動制御の自動車ヘッドランプを有している。
【００７１】
一部の実施例
図１と図２に示すように、図１と図２に示した自動制御の自動車ヘッドランプは、照射ライトアッセンブリ１と、撮像ヘッド２と、画像処理装置３と、マトリックスヘッドランプ４と、第１制御装置５とを有し、照射ライトアッセンブリ１が、赤外線を照射することができ、走行路面へ、明暗からなるとともに走行路面における出たり消えたりする物体の輪郭の変化に従って対応する曲げ縞模様に変形する縞模様状赤外線を照射するものであり、撮像ヘッド２が、曲げ縞模様の画像情報を収集するものであり、画像処理装置３が、撮像ヘッド２とデータ通信可能に接続し、画像情報を取得し該画像情報に基づいてヘッドランプ制御コマンドを生成するものであり、マトリックスヘッドランプ４が、いくつのＬＥＤ光源４１を有し、第１制御装置５が、マトリックスヘッドランプ４及び画像処理装置３とデータ通信可能に接続し、ヘッドランプ制御コマンドを取得し該ヘッドランプ制御コマンドに基づいてＬＥＤ光源４１の点灯個数及び明暗変化を調整するものである。
【００７２】
図３に示すように、図３に示した自動制御の自動車ヘッドランプと図１及び図２に示した自動制御の自動車ヘッドランプとの相違点は、以下のようである。照射ライトアッセンブリ１は、第１赤外線照射ライト１０１と第２赤外線照射ライト１０２とを有し、自動制御の自動車ヘッドランプは、第２制御装置６と第３制御装置７とを有し、第１赤外線照射ライト１０１が走行路面へ明暗からなる横縞模様状赤外線を照射し、第２制御装置６が、第１赤外線照射ライト１０１と制御可能に接続し、第１赤外線照射ライト１０１を、走行路面へ横縞模様状赤外線を点滅に照射するように制御し、第２赤外線照射ライト１０２が、走行路面へ明暗からなる縦縞模様状赤外線を照射し、第３制御装置７が、第２赤外線照射ライト１０２と制御可能に接続し、第２赤外線照射ライト１０２を、走行路面へ縦縞模様状赤外線を点滅に照射するように制御する。
【００７３】
図４示すように、図４に示した照射ライトアッセンブリ１は、赤外線ライト１１と、遮光構造１２と、反射ミラー１３と、レンズ部材１４と、放熱装置１６とを有し、赤外線ライト１１が赤外線を照射し、遮光構造１２が赤外線の照射出口に位置し、反射ミラー１３が、赤外線ライト１１に対応して配置され、縞模様状赤外線に形成するように赤外線ライト１１により照射された赤外線を遮光構造１２へ反射し、レンズ部材１４が、レンズホルダー１４１とレンズホルダー１４１を介して赤外線の照射出口に取り付けられ、縞模様状赤外線を通らせて走行路面に照射するためのレンズ１４２とを備え、赤外線ライト１１が放熱装置１６に設置される。
【００７４】
図５と図６に示すように、図５と図６は、横縞からなる遮光構造１２と縦縞からなる遮光構造１２とを示した。遮光構造１２は、フレーム１２１と複数の遮光シート１２２とを有し、複数の遮光シート１２２が平行して設置されるとともに、隣接する２つの遮光シート１２２の間に長尺透光孔１２３が形成され、反射ミラー１３が、赤外線ライト１１により照射された赤外線を、長尺透光孔１２３を通らせて該縞模様状赤外線に形成するように遮光構造１２へ反射する。
【００７５】
図７は、自動車ヘッドランプの照射の模式図を示す。
【００７６】
図８は、自動車ヘッドランプの照射の拡大模式図を示す。
【００７７】
図９は、自動車ヘッドランプの照射の平面図を示す。
【００７８】
上記の各実施例は、本開示の技術案を説明するためのものにすぎず、限定するものではない。上記の各実施例を用いて本開示を詳しく説明したが、当業者は、上記の各実施例に記載された技術案に対して改良、若しくはその中の技術的特徴の一部または全部に対して均等置換を行うこともできることが無論である。これらの改良又は置換を行っても、該当する技術案の本質は、本開示の各実施例の技術案の範囲から逸脱していない。
【産業上の利用可能性】
【００７９】
上記のように、本開示による自動制御の自動車ヘッドランプ、自動制御の方法及び自動車は、自動車のコストを大幅に低減することができ、ランプの自動制御の効果を備えている。
【符号の説明】
【００８０】
１−照射ライトアッセンブリ、１１−赤外線ライト、１２−遮光構造、１２１−フレーム、１２２−遮光シート、１２３−長尺透光孔、１３−反射ミラー、１４−レンズ部材、１４１−レンズホルダー、１４２−レンズ、１６−放熱装置、１０１−第１赤外線照射ライト、１０２−第２赤外線照射ライト、２−撮像ヘッド、３−画像処理装置、４−マトリックスヘッドランプ、４１−ＬＥＤ光源、５−第１制御装置、６−第２制御装置、７−第３制御装置。
【図１】
2021517529.tif 000003
【図２】
2021517529.tif 000004
【図３】
2021517529.tif 000005
【図４】
2021517529.tif 000006
【図５】
2021517529.tif 000007
【図６】
2021517529.tif 000008
【図７】
2021517529.tif 000009
【図８】
2021517529.tif 000010
【図９】
2021517529.tif 000011
【国際調査報告】
2021517529.tif 000012
2021517529.tif 000013
2021517529.tif 000014
2021517529.tif 000015